【事件の表示】
　特願２００４−１５２０２３「選曲装置」拒絶査定不服審判事件〔平成１６年　８月１９日出願公開、特開２００４−２３４０３５〕について、次のとおり審決する。
【結　論】
　本件審判の請求は、成り立たない。
【理　由】
理　由
１　手続きの経緯・本願発明
　本願は、平成６年９月５日に出願した特願平６−２１１６１４号の一部を平成１６年５月２１日に新たな特許出願としたものであって、平成１９年１１月８日付けで拒絶査定がされ、これに対して同年１２月１３日に拒絶査定不服審判が請求され、その後、当審において、平成２０年５月２日付けで拒絶理由が通知されたものである。 
　
　本願の発明は、平成１９年６月２５日付けの手続補正書により補正された特許請求の範囲の請求項１に記載されたものと認められるところ、その請求項１に記載された発明（以下、「本願発明」という。）は、次のとおりのものである。
「【請求項１】
　操作者の操作に応じて、曲を選択する選曲信号を出力する選曲手段と、
　カラオケ演奏の演奏情報を複数記憶するとともに、前記演奏情報のいずれかが選択されると当該演奏情報を読み出して演奏信号を作成する演奏信号作成装置に対して、前記選曲手段が出力する選曲信号を供給して演奏の開始を指示する演奏開始指示手段と、
　曲の一部分に対応した再生情報が複数記憶された再生情報記憶手段と、
　操作者が操作するスイッチと、
　前記スイッチが操作されると、前記選曲手段が出力する選曲信号に対応する再生情報を前記再生情報記憶手段から読み出して再生するインデックス再生手段と、を具備した
　ことを特徴とする選曲装置。」
　
２　引用例
　当審の拒絶の理由に引用された特開平４−３５５４９８号公報（以下、「引用例１」という。）には、次の事項が図面とともに開示されている。（記載箇所は段落番号で表示）
　ア　「【０００８】
【作用】請求項１記載の選曲装置においては、表示部に現れた複数の検索条件項目のうちの１つを操作部の操作によって選択することができ、またこの選択操作により検索条件項目の表示を最終段階まで順次に切り換えることができる。最終段階の項目を選択すると、順次に選択した一連の項目に従う検索条件で記憶部に記憶されている曲名の検索が行われる。そして、検索条件を満たす曲名のリストが表示部に表示される。そこで、再び操作部を操作し、希望する１つの曲名を選択すると、選択された曲名の曲情報が表示部に表示される。そこで再び操作部を操作すると、曲番号情報が信号転送部に送られ、信号転送部は曲番号情報に対応した選曲信号を演奏装置に転送する。したがって、曲名リスト本の手めくり作業や曲番号のキー入力等を要することなく、曲名の検索および選曲実行操作を効率よく確実に行うことができる。また、飲食店等では客が自ら選曲装置を操作してカラオケ装置等の演奏装置に対し演奏曲の呼出しや予約等を直接行うことができるので、演奏装置に人手をかける必要がなくなる。」
　
　イ　「【００１２】図１は本発明の一実施例に係る選曲装置と充電スタンドの斜視図、図２は図１に示す選曲装置の背面図、図３は図１に示す選曲装置の主要構成説明図である。これらの図を参照すると、選曲装置１０はケース１１を備え、ケース１１内には制御部１２と、電源部１３と、選曲コード信号を図示しない演奏装置に転送するための学習リモコンＩＣからなる信号転送部１４と、オプションの歌詞音出し部１５とが設けられており、ケース１１の上面にはＬＣＤ表示部１６と、電源スイッチ１７と、操作部１８，１８Ａとが設けられており、ケース１１の側面にはメモリカード２０を挿入するためのカード挿入部１９が設けられている。」
　
　ウ　「【００１５】このオプション付き選曲装置１０に用いるメモリカード２０には各曲の曲名、歌手名、曲番号、歌詞の一部および種別（デュエット曲か否かの識別コードおよび曲のジャンルを示す識別コード）からなる曲情報と、各曲のメロディーの一部（例えば最初の４小節分のイントロ）からなるメロディー情報が予め記憶されている。メモリカード２０の記憶内容は外部の書換え装置（図示せず）により書換えが可能である。」
　
　エ　「【００１８】操作部１８は、ＬＣＤ表示部１６上のカーソル移動、または画面の切換を操作するものである。図６を参照すると、この実施例では操作部１８は、可撓性を有するシャフト４６上に設けられた操作シリンダ４７を備え、この操作シリンダ４７はシャフト４６に対し軸線方向（Ｘ方向）に摺動可能且つ軸線の周り（Ｙ方向）に回転可能である。操作シリンダ４７のＸ方向およびＹ方向の動作はそれぞれＸエンコーダ４８およびＹエンコーダ４９によってパルス信号に変換され、制御部１２の拡張ポート３０に送られる。これらエンコーダ４８，４９からのパルス信号に基づき、画面上のカーソルは操作シリンダ４７のＸ方向動作に対応して上下に移動し、また操作シリンダ４７のＹ方向動作に対応して左右に移動する。シャフト４６の中央付近には入力スイッチ５０が設けられている。操作シリンダ４７を押すとシャフト４６がたわみ、入力スイッチ５０をＯＮ状態にする。入力スイッチ５０からの信号は同様に拡張ポート３０に送られ、制御部１２では入力スイッチ５０からの信号入力に基づき、プログラム上の所定のステップ動作を実行する。好ましくは、シャフト４６の両端近傍に繰返しパルスを発生するスイッチ５０，５１が設けられる。これらのスイッチ５０，５１は、操作シリンダー４７がシャフト４６の各端部に位置したときにＯＮ状態になり、例えばカーソルの上下動における連続動作を可能にする。」
　
　オ　「【００２７】次に図１０および図１６を参照すると、曲名選択処理においては、第２段階として図１６（ｂ）　に示す５０音文字選択画面が表示される（ステップ１２２）。そこで例えば曲名の頭文字「ヤ」を選択した場合（ステップ１２３）、その後「取消し」の項目が選択されなければ頭文字を「ヤ」とする全ての曲名が曲情報記憶部２６に記憶されている曲情報の中から検索され、第３段階として図１６（ｃ）　に示すように、５０音順に表示部１６にリストアップ表示される（ステップ１２４〜１２５）。なお、図示するように、この実施例では１画面上に同時に表示できる曲名等の最大表示行数は６行となっているが、表示桁数は使用する表示部１６の大きさ等に応じて適宜に設定し得る。
【００２８】希望する曲名が画面上にないときは操作シリンダ４７を操作することにより、図１６（ｄ）　に示すように、画面を上下にスクロールさせることができる（ステップ１２６〜１２７）。こうして希望する曲名が画面上に現れたら、その位置にカーソルを合わせて操作シリンダ４７を押すことにより、希望する曲名を選択することができる（ステップ１２８）。このようにして曲名が選択された後、「取消し」の項目が選択されなければ、その曲名に関する所定の曲情報が曲情報記憶部２６から読み出され、図１６（ｅ）　に示すように、画面に表示される（ステップ１２９〜１３０）。この実施例では、曲情報として、曲名、歌手名および歌詞の一部が表示されると共に、曲番号（ここでは曲番号３９Ａ）およびディスク番号（ここではディスク番号６）が同一行にセットで表示される。また、曲情報表示画面においては「取消し」の項目と共にオプションの音出しの項目が表示される。その後、後述する選曲出力処理（ステップ１３１）に進む。
…（中略）…
【００３２】ステップ１３１の選曲出力処理においては、この実施例では、表示部１６に曲情報が表示されている状態で、図１４に示すように、先ず制御部１２内の図示しないタイマー２がスタートし（ステップ１６４）、その後の操作がないままタイマー２の設定時間例えば２分が経過するとタイマー２をリセットし（ステップ１６６）、図９のメインプログラムを終了させる。
【００３３】一方、２分が経過する前に「音出し」の項目が操作シリンダ４７の操作によって選択されると（ステップ１６７）、音出し処理が実行される。この音出し処理では、メロディー情報記憶部３７に記憶されているメロディー情報の中から選択された曲名に係るメロディー情報（この実施例では最初の４小節のイントロデータ）がＦＭ音源ＩＣ３４に送られ、増幅器３５を介してスピーカ３６から４小節分のメロディーが電子音により送出される（ステップ１６８）。そこで、選択した曲のメロディーを確認した上で図１に示す操作部（押し釦スイッチ）１８Ａを操作すると、選択された曲の曲番号情報が曲情報記憶部２６から読み出されて信号転送部１４に送られる（ステップ１６９〜１７１）。一方、ステップ１６９において、「取消し」の項目を選択すると、図９のステップ１０１に戻り、再度選曲処理が行われることとなる。また、操作部１８Ａが操作されないままタイマー２のスタートから２分が経過すると（ステップ１７０〜１６５）、タイマー２がリセットされ（ステップ１６６）、図９のメインプログラムが終了する。
【００３４】信号転送部１４は制御部１２のＣＰＵ２２から送られてくる曲番号情報に基づき、選曲された曲の曲番号に対応したコード信号を生成し、これを光コード信号に変換して演奏装置の光コード信号受信部（図示せず）へと送出する。そして、演奏装置は受信したコード信号に基づき、演奏曲の呼出し若しくは予約を行う。」
　
　前掲アないしオの記載によると引用例１には、
「希望する曲名が画面上に現れたら、その位置にカーソルを合わせて操作シリンダ（操作部１８）を操作することにより、希望する曲名を選択し、その曲名に関する所定の曲情報（曲番号情報等）が曲情報記憶部から読み出され、画面に表示された後、押し釦スイッチ（操作部１８Ａ）を操作すると、選択された曲の曲番号情報が曲情報記憶部から読み出されて信号転送部に送られ、前記信号転送部は、演奏曲の呼出し若しくは予約を行うために、該選択された曲の曲番号情報に対応した光コード信号を演奏装置に転送する選曲装置において、前記押し釦スイッチを操作する前に、画面上の「音出し」の項目が前記操作シリンダの操作によって選択されると、メロディー情報（最初の４小節のイントロデータ）を記憶したメロディー情報記憶部から選択された曲のメロディー情報が読み出され、該メロディーがスピーカから送出される選曲装置」の発明（以下、「引用発明」という。）が記載されていると認められる。
　
３　対比
本願発明と引用発明とを対比する。
　引用発明は、「希望する曲名が画面上に現れたら、その位置にカーソルを合わせて操作シリンダ（操作部１８）を操作することにより、希望する曲名を選択し、その曲名に関する所定の曲情報（曲番号情報等）が曲情報記憶部から読み出され、画面に表示され」るものであり、ここでいう「曲番号情報」は「曲を選択する選曲信号」ともいえるから、引用発明と本願発明はともに、「操作者の操作に応じて、曲を選択する選曲信号を出力する選曲手段」を有するという点で共通する。
　また、引用発明の「演奏装置」は、「カラオケ演奏の演奏情報を複数記憶するとともに、前記演奏情報のいずれかが選択されると当該演奏情報を読み出して演奏信号を作成する」ものであることは自明であるから、本願発明の「演奏信号作成装置」に相当する。
　そして、引用発明の「信号転送部」は、「押し釦スイッチ」の操作により、「演奏装置」に対して「演奏曲の呼出し若しくは予約を行うために、該選択された曲の曲番号情報に対応した光コード信号を演奏装置に転送する」ものであり、ここでいう「演奏曲の呼出し」は「演奏の開始を指示」するものであるから、引用発明と本願発明はともに「演奏信号作成装置に対して、前記選曲手段が出力する選曲信号に対応した信号を供給して演奏の開始を指示する演奏開始指示手段」を有するという点で一致する。
　また、引用発明の「メロディー情報記憶部」は、「最初の４小節のイントロデータ」を記録するものであって、この「イントロデータ」は「曲の一部分に対応した再生情報が複数記憶された」ものに他ならないから、本願発明の「再生情報記憶手段」に相当する。
　そして、引用発明は、「押し釦スイッチを操作する前に、画面上の「音出し」の項目が操作シリンダの操作によって選択されると」、「メロディー情報記憶部」から「選択された曲のメロディー情報が読み出され、該メロディーがスピーカから送出される」ものであり、ここでいう「画面上の「音出し」の項目」は、一種のソフトウェア的な「操作者が操作するスイッチ」といえるから、引用発明と本願発明はともに、「操作者が操作するスイッチと、前記スイッチが操作されると、前記選曲手段が出力する選曲信号に対応する再生情報を前記再生情報記憶手段から読み出して再生するインデックス再生手段」を有するという点で共通する。
　
　以上を踏まえると、両者の一致点、相違点は以下のとおりである。
　
【一致点】
「操作者の操作に応じて、曲を選択する選曲信号を出力する選曲手段と、
　カラオケ演奏の演奏情報を複数記憶するとともに、前記演奏情報のいずれかが選択されると当該演奏情報を読み出して演奏信号を作成する演奏信号作成装置に対して、前記選曲手段が出力する選曲信号に対応した信号を供給して演奏の開始を指示する演奏開始指示手段と、
　曲の一部分に対応した再生情報が複数記憶された再生情報記憶手段と、
　操作者が操作するスイッチと、
　前記スイッチが操作されると、前記選曲手段が出力する選曲信号に対応する再生情報を前記再生情報記憶手段から読み出して再生するインデックス再生手段と、を具備した
　ことを特徴とする選曲装置。」
　
【相違点】
　本願発明においては、「選曲手段」の出力する信号と、「演奏開始指示手段」が「演奏信号作成装置」に供給する信号とが、同一の「選曲信号」であるのに対して、引用発明においては、「選曲手段」の出力する信号が「選曲信号（曲番号情報）」である一方、「演奏開始指示手段」が「演奏信号作成装置」に供給する信号が「選曲信号（曲番号情報）に対応した光コード信号」であり、両者が異なる信号である点。
　
４　当審の判断
　相違点について
　引用発明の「選曲装置」は、所謂リモコン装置として、本体の「演奏信号作成装置」とは別体の構成となっているため、「選曲装置」から「演奏信号作成装置」へ供給する信号として「選曲信号（曲番号情報）」を無線通信用の「光コード信号」に変換しているが、リモコン装置と本体の装置を一体化することは、一般的によく知られた周知の技術である。
　
　したがって、引用発明においても、「選曲装置」と「演奏信号作成装置」を一体化して、本願発明のように構成することは、当業者が必要に応じて適宜なし得たことであり、この結果、「演奏開始指示手段」が「演奏信号作成装置」に供給する信号として「選曲信号（曲番号情報）」を変換せずにそのまま利用できることは、自明のことといえる。
　
　また、本願発明の奏する効果は、引用例１に記載された発明及び周知技術から想定できる程度のものにすぎず、格別なものとはいえない。
　
５　結論
　以上のとおり、本願発明は、引用例１に記載された発明及び周知技術に基づいて当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。